(57)【要約】【課題】情報が同時に多数表示されても必要な情報を容易に見つけ出せるようにする。【解決手段】コンテキスト情報抽出部３は、装置の状態を監視して該状態を示すコンテキスト情報を抽出する。情報保存部４は、表示対象であるメモ情報の登録時においての該コンテキスト情報が関連付けられている該メモ情報を保存している。コンテキスト類似度評価部６は、所定の時点においてコンテキスト情報抽出部３により抽出された該コンテキスト情報についての、情報保存部４により保存されているメモ情報に関連付けられているコンテキスト情報との類似度を、該メモ情報毎に求める。メモ情報表示部４は、情報保存部４に保存されているメモ情報を、該メモ情報についての該類似度に応じた表示態様で表示する。【選択図】図１
2010079534.tif 000002
【特許請求の範囲】
【請求項１】
各種の情報を表示する装置であって、
該装置の状態を監視して該状態を示すコンテキスト情報を抽出するコンテキスト情報抽出手段と、
表示対象であるメモ情報の登録時においての該コンテキスト情報が関連付けられている該メモ情報を保存しているメモ情報保存手段と、
所定の時点において該コンテキスト情報抽出手段により抽出された該コンテキスト情報についての、該メモ情報保存手段により保存されているメモ情報に関連付けられているコンテキスト情報との類似度を、該メモ情報毎に求めるコンテキスト情報類似度評価手段と、
該メモ情報保存手段に保存されているメモ情報を、該メモ情報についての該類似度に応じた表示態様で表示するメモ情報表示手段と、
を有することを特徴とする情報表示装置。
【請求項２】
入力された情報に従って該メモ情報を作成するメモ情報作成手段と、
該メモ情報作成手段が作成した該メモ情報と、該メモ情報が作成された時点において該コンテキスト情報抽出手段が抽出した該コンテキスト情報とを関連付けてコンテキスト付きメモ情報を生成するコンテキスト関連付け手段と、
を更に有し、
該メモ情報保存手段は、該コンテキスト関連付け手段が生成したコンテキスト付きメモ情報を保存する、
ことを特徴とする請求項１に記載の情報表示装置。
【請求項３】
該コンテキスト情報抽出手段は、該装置において表示中の画面に含まれているウィンドウ画面を特定する情報であるウィンドウ構成情報を、コンテキスト情報として抽出し、
該メモ情報保存手段は、該メモ情報の登録時においての該ウィンドウ構成情報が関連付けられている該メモ情報を保存している、
ことを特徴とする請求項１又は２に記載の情報表示装置。
【請求項４】
該所定の時点において該コンテキスト情報抽出手段が抽出した該ウィンドウ構成情報で示されているウィンドウ画面の集合をＷとし、該メモ情報保存手段に保存されているメモ情報のうちのひとつであるメモ情報ｉに関連付けられているウィンドウ構成情報で示されているウィンドウ画面の集合をＷ＿ｉとすると、
該コンテキスト情報類似度評価手段は、該集合Ｗの要素数Ｎ＿ｉ、及び、該集合Ｗ＿ｉと該集合Ｗとの積集合の要素数Ｎｉ＿ｉより、該メモ情報ｉについての該類似度である類似度Ｓ＿ｉを、
【数１】
2010079534.tif 000018
により算出する、
ことを特徴とする請求項３に記載の情報表示装置。
【請求項５】
該メモ情報表示手段により表示されているメモ情報に対しての選択の指示を取得するメモ情報選択手段と、
該メモ情報選択手段が取得した指示により選択されているメモ情報の登録時における該装置の状態を、該メモ情報保存手段により保存されている該メモ情報に関連付けられている該コンテキスト情報に基づいて復元するコンテキスト復元手段と、
を更に有することを特徴とする請求項１に記載の情報表示装置。
【請求項６】
各種の情報を表示する方法であって、
コンテキスト情報抽出手段が、該情報を表示する表示装置を有するコンピュータの状態を監視して該状態を示すコンテキスト情報を抽出し、
メモ情報保存手段が、表示対象であるメモ情報の登録時においての該コンテキスト情報が関連付けられている該メモ情報を記憶装置に保存させておき、
コンテキスト情報類似度評価手段が、所定の時点において該コンテキスト情報抽出手段により抽出された該コンテキスト情報についての、該記憶装置で保存されているメモ情報に関連付けられているコンテキスト情報との類似度を、該メモ情報毎に求め、
メモ情報表示手段が、該記憶装置で保存されているメモ情報を、該メモ情報についての該類似度に応じた表示態様で、該表示装置に表示させる、
ことを特徴とする情報表示方法。
【請求項７】
各種の情報の表示をコンピュータに行わせるためのプログラムであって、
該装置の状態を監視して該状態を示すコンテキスト情報を抽出するコンテキスト情報抽出処理と、
表示対象であるメモ情報の登録時においての該コンテキスト情報が関連付けられている該メモ情報を、該コンピュータの有する記憶部に保存しておくメモ情報保存処理と、
所定の時点において該コンテキスト情報抽出処理により抽出された該コンテキスト情報についての、該記憶部で保存されているメモ情報に関連付けられているコンテキスト情報との類似度を、該メモ情報毎に求めるコンテキスト情報類似度評価処理と、
該記憶部で保存されているメモ情報を、該メモ情報についての該類似度に応じた表示態様で、該コンピュータの有する表示装置に表示させるメモ情報表示処理と、
をコンピュータに行わせるためのプログラム。
【発明の詳細な説明】
【技術分野】
【０００１】
本発明は情報処理技術に関し、特に、情報検索の技術に関する。
【背景技術】
【０００２】
従来から、ユーザの記憶を補助するための数多くのソフトウェアが知られている。例えば、テキストやファイル、Ｗｅｂページへのリンク、画像などの形式でユーザが入力する覚書などの情報を記憶し、この情報を表示装置のデスクトップ（基本操作画面）上に常時表示させる機能をパーソナルコンピュータ（ＰＣ）に提供するソフトウェアがある。このようなソフトウェアでは、デスクトップ上での情報の表示を付箋紙に似せて行うようにしているものが多く、この表示は「電子付箋紙」などとも呼ばれている。
【０００３】
この電子付箋紙を、表示装置における特定のファイルやＷｅｂページの表示画面領域上に重ねて表示させるようにＰＣを機能させるソフトウェアが知られている。このソフトウェアを使用する場合には、電子付箋紙とファイルやＷｅｂページなどの表示画面の位置とをユーザが対応付ける指示を行い、ＰＣは、電子付箋紙の表示情報と共に、この対応付けの情報を記憶する。
【０００４】
この他、ユーザが入力した注釈と、この注釈を入力したときに得られるコンテキストデータとを使用して、注釈に関連した情報を探し出すと共に注釈に近いコンテキストデータを収集するという技術が知られている。
【０００５】
また、入力された検索キーを認識処理し、検索キーとして類似度の大きいものから順に複数の認識候補を選出し、この複数の認識候補を表示するときに、類似度の大きさに基づき各認識候補の表示形態を調整するという技術が知られている。
【特許文献１】特開２００６−１１３９７６号公報
【特許文献２】特開２００５−８５２８５号公報
【特許文献３】特開２００５−１８４４２号公報
【発明の開示】
【発明が解決しようとする課題】
【０００６】
電子付箋紙を頻繁に利用すれば、表示装置に同時に表示される電子付箋紙の数は増えていく。つまり、同時に多量の情報が表示されるため、必要な情報の見落としや、必要な情報を探し出すための手間の増加などの問題が生じ得る。
【０００７】
ここで、もはや不要になった電子付箋紙をその都度削除する、重要度の高い電子付箋紙を低いものよりも目立つ位置に配置する、あるいは、電子付箋紙が各々属する所定のグループ毎に、その表示位置を設定する、などの工夫が考えられる。しかしながら、一般に、情報の要・不要の判断、情報の重要度の判断、及び、情報のグループ分けの判断を、予め正確に行っておくことは困難であり、これらの判断を誤れば、電子付箋紙の利便性が大きく低下することとなる。
【０００８】
また、電子付箋紙を、特定のファイルやＷｅｂページの表示画面領域上に表示させる方式では、電子付箋紙を頻繁に利用したときの電子付箋紙数の増加量は低減する。しかし、電子付箋紙に対応付けたファイルやＷｅｂページを開かない限り（表示装置に表示させない限り）、ユーザは、その電子付箋紙に示されている情報に触れることができない。つまり、この方式は、電子付箋紙の情報を必要とする場合には、その電子付箋紙に対応付けたファイルやＷｅｂページが必ず開かれていることが前提となるため、用途が限られてしま
っている。また、例えば、「必要な情報を得るにはどのファイルやＷｅｂページを開けばいいか」といった類の情報を扱うことができない。更に、この方式では、ファイルやＷｅｂページの複数の組み合わせに電子付箋紙を対応付けることができない。このため、例えば、出張の準備を行っていることが明らかである、「出張申請ページ」と「経路探索ページ」とが同時に表示されている場合に、宿泊先の情報である「ホテル情報」を記した電子付箋紙を自動的に表示させるような機能を提供することはできない。
【０００９】
本発明は上述した問題に鑑みてなされたものであり、その解決しようとする課題は、情報が同時に多数表示されても、必要な情報を容易に見つけ出せるようにすることである。
【課題を解決するための手段】
【００１０】
本明細書で開示する情報表示装置のひとつは、各種の情報を表示する装置であって、該装置の状態を監視して該状態を示すコンテキスト情報を抽出するコンテキスト情報抽出手段と、表示対象であるメモ情報の登録時においての該コンテキスト情報が関連付けられている該メモ情報を保存しているメモ情報保存手段と、所定の時点において該コンテキスト情報抽出手段により抽出された該コンテキスト情報についての、該メモ情報保存手段により保存されているメモ情報に関連付けられているコンテキスト情報との類似度を、該メモ情報毎に求めるコンテキスト情報類似度評価手段と、該メモ情報保存手段に保存されているメモ情報を、該メモ情報についての該類似度に応じた表示態様で表示するメモ情報表示手段と、を有するというものである。
【００１１】
この情報表示装置は、メモ情報保存手段により保存されているメモ情報を、当該メモ情報についての登録時と所定の時点（例えば現時点）とにおいてのコンテキスト情報（すなわち装置の状態）の類似度に応じた態様で表示する。つまり、この情報表示装置によれば、当該類似度が高い、すなわち、装置の状態が登録時と所定の時点とで似ていることで現時点での必要性が高いと考えられるメモ情報は、他のメモ情報とは異なる態様で表示されるのである。従って、メモ情報が同時に多数表示されても、必要な情報を容易に見つけ出すことが可能である。
【００１２】
また、本明細書で開示する情報表示方法のひとつは、各種の情報を表示する方法であって、コンテキスト情報抽出手段が、該情報を表示する表示装置を有するコンピュータの状態を監視して該状態を示すコンテキスト情報を抽出し、メモ情報保存手段が、表示対象であるメモ情報の登録時においての該コンテキスト情報が関連付けられている該メモ情報を記憶装置に保存させておき、コンテキスト情報類似度評価手段が、所定の時点において該コンテキスト情報抽出手段により抽出された該コンテキスト情報についての、該記憶装置で保存されているメモ情報に関連付けられているコンテキスト情報との類似度を、該メモ情報毎に求め、メモ情報表示手段が、該記憶装置で保存されているメモ情報を、該メモ情報についての該類似度に応じた表示態様で、該表示装置に表示させる、というものである。
【００１３】
この情報表示方法によれば、前述した情報表示装置と同様の作用・効果を得ることができる。
また、本明細書で開示するプログラムのひとつは、各種の情報の表示をコンピュータに行わせるためのプログラムであって、該装置の状態を監視して該状態を示すコンテキスト情報を抽出するコンテキスト情報抽出処理と、表示対象であるメモ情報の登録時においての該コンテキスト情報が関連付けられている該メモ情報を、該コンピュータの有する記憶部に保存しておくメモ情報保存処理と、所定の時点において該コンテキスト情報抽出処理により抽出された該コンテキスト情報についての、該記憶部で保存されているメモ情報に関連付けられているコンテキスト情報との類似度を、該メモ情報毎に求めるコンテキスト情報類似度評価処理と、該記憶部で保存されているメモ情報を、該メモ情報についての該
類似度に応じた表示態様で、該コンピュータの有する表示装置に表示させるメモ情報表示処理と、をコンピュータに行わせる、というものである。
【００１４】
このプログラムをコンピュータで実行させることにより構成される装置によれば、前述した情報表示装置と同様の作用・効果を得ることができる。
【発明の効果】
【００１５】
本発明によれば、以上のようにすることにより、情報が同時に多数表示されても、必要な情報を容易に見つけ出せるという効果を奏する。
【発明を実施するための最良の形態】
【００１６】
以下、本発明の実施の形態を図面に基づいて説明する。
図１は、本発明を実施する情報表示装置の構成の第一の例を示している。
図１に示されているように、この情報表示装置は、メモ情報作成部１、コンテキスト関連付け部２、コンテキスト抽出部３、情報保存部４、メモ情報表示部５、及びコンテキスト類似度評価部６の各構成要素を備えて構成されている。
【００１７】
メモ情報作成部１は、この情報表示装置に登録するメモ情報を、ユーザからの指示に従って作成する。
コンテキスト関連付け部２は、メモ情報作成部１により作成されたメモ情報と、コンテキスト抽出部３により抽出される、当該メモ情報の登録時におけるコンテキスト情報との関連付けを行う。
【００１８】
コンテキスト抽出部３は、この情報表示装置の状態（コンテキスト）を常時監視して、各時点におけるコンテキストを示すコンテキスト情報を抽出する。
情報保存部４は、メモ情報作成部１により作成されたメモ情報を、コンテキスト関連付け部２により関連付けられたコンテキスト情報とその関連付けの情報と共に保存して、この情報表示装置に登録する。
【００１９】
メモ情報表示部５は、情報保存部４に保存されているメモ情報を、コンテキスト類似度評価部６により評価される、当該メモ情報についての所定の時点においての類似度に応じた表示態様で、表示する。
【００２０】
コンテキスト類似度評価部６は、当該所定の時点においてコンテキスト抽出部３により抽出されるコンテキスト情報についての、情報保存部４に保存されているメモ情報に関連付けられているコンテキスト情報との類似度を、メモ情報毎に評価する。
【００２１】
なお、図１に示した情報表示装置は、標準的なハードウェア構成のコンピュータを用いて構成することができる。図２はこのようなコンピュータのハードウェア構成例を示している。
【００２２】
図２に示したコンピュータは、ＭＰＵ１０１、ＲＯＭ１０２、ＲＡＭ１０３、ハードディスク装置１０４、入力装置１０５、表示装置１０６、インタフェース装置１０７、及び記録媒体駆動装置１０８を備えて構成されている。これらの構成要素はいずれもバス１０９に接続されており、ＭＰＵ１０１の管理の下で各種のデータを相互に授受することができる。
【００２３】
ＭＰＵ（Micro Processing Unit）１０１は、このコンピュータ全体の動作を制御する演算処理装置である。
ＲＯＭ（Read Only Memory）１０２は、所定の基本制御プログラムが予め記録されてい
る読み出し専用半導体メモリである。ＭＰＵ１０１は、この基本制御プログラムをコンピュータの起動時に読み出して実行することにより、このコンピュータの各構成要素の動作制御が可能になる。
【００２４】
ＲＡＭ（Random Access Memory）１０３は、ＭＰＵ１０１が各種の制御プログラムを実行する際に、必要に応じて作業用記憶領域として使用する、随時書き込み読み出し可能な半導体メモリである。
【００２５】
ハードディスク装置１０４は、ＭＰＵ１０１によって実行される各種の制御プログラムや後述する各種のデータ、ファイル等を記憶しておく記憶装置である。ＭＰＵ１０１は、ハードディスク装置１０４に記憶されている所定の制御プログラムを読み出して実行することにより、各種の制御処理を行えるようになる。
【００２６】
入力装置１０５は、例えばキーボード装置やマウス装置であり、コンピュータの使用者により操作されると、その操作内容に対応付けられている使用者からの各種情報の入力を取得し、取得した入力情報をＭＰＵ１０１に送付する。
【００２７】
表示装置１０６は例えば液晶ディスプレイであり、ＭＰＵ１０１から送付される表示データに応じて各種のテキストや画像を表示する。
インタフェース装置１０７は、このコンピュータが接続される通信回線を介して行われる各種データの授受の管理を行う。
【００２８】
記録媒体駆動装置１０８は、可搬型記録媒体１１０に記録されている各種の制御プログラムやデータの読み出しを行う装置である。ＭＰＵ１０１は、可搬型記録媒体１１０に記録されている所定の制御プログラムを、記録媒体駆動装置１０８を介して読み出して実行することによって、後述する各種の制御処理を行うようにすることもできる。なお、可搬型記録媒体１１０としては、例えばＣＤ−ＲＯＭ（Compact Disc Read Only Memory）やＤＶＤ−ＲＯＭ（Digital Versatile Disc Read Only Memory）などがある。
【００２９】
本発明を実施する情報表示装置をこのようなコンピュータで構成する場合には、まず、情報処理装置の前述した各構成要素が、後述の登録動作処理及び表示動作処理の各処理内容を、後述の手順でＭＰＵ１０１に行わせるための制御プログラムを作成する。作成された制御プログラムはハードディスク装置１０４若しくは可搬型記録媒体１１０に予め格納しておく。そして、ＭＰＵ１０１に所定の指示を与えてこの制御プログラムを読み出させて実行させる。こうすることで、図２のコンピュータが情報表示装置として機能する。
【００３０】
次に図３及び図４に各々示したフローチャートについて説明する。図３は、この情報表示装置において行われる登録動作処理の処理内容を示したものである。また、図４は、この情報表示装置において行われる表示動作処理の処理内容を示したものである。
【００３１】
まず、登録動作処理について説明する。この登録動作処理は、ユーザからの、当該処理の開始を示す所定の指示を情報処理装置が取得する（例えば入力装置１０５に対してユーザが行う、当該指示に対応付けられている所定の操作をＭＰＵ１０１が検出する）と開始される。
【００３２】
図３において、まず、Ｓ１０１では、メモ情報作成処理がメモ情報作成部１により行われる。この処理により、メモ情報作成部１として機能するＭＰＵ１０１は、テキスト入力のインタフェースをユーザへ提供（例えばテキスト入力のＧＵＩ（Graphical User Interface）画面を表示装置１０６に表示）して、ユーザがメモ情報をテキスト入力できるようにする。そして、例えば入力装置１０５であるキーボード装置に対する操作により入力さ
れたテキストをメモ情報として取得する。
【００３３】
ここで、ＭＰＵ１０１は、例えば入力装置１０５であるマウス装置に対するドラッグ・アンド・ドロップ操作に基づき、表示装置１０６の表示画面で示されていたファイルやＷｅｂページと、取得したメモ情報とのリンク情報（対応付け情報）を取得してもよい。
【００３４】
また、このとき、メモ情報作成部１は、取得したメモ情報をメモ情報表示部５（表示装置１０６）で表示するときの表示態様を示す情報を、併せて取得するようにしてもよい。このときに取得する情報で示される表示態様としては、例えば、表示装置１０６に表示されているデスクトップ（基本操作画面）上でメモ情報を電子付箋紙として表示する際の、表示領域や表示色の指定などがある。
【００３５】
メモ情報作成部１により作成されるメモ情報データの２つの例を図５Ａ及び図５Ｂに示す。
図５Ａに示したメモ情報データの第一の例は、ユーザが入力したテキスト「メモ−１」を、デスクトップ上の部分領域を示す座標（１０，２０）−（６０，４０）の範囲であって背景色を黄色とした電子付箋紙として表示することを示している。
【００３６】
また、図５Ｂに示したメモ情報データの第二の例は、ユーザが入力したテキスト「メモ−１」を表示する電子付箋紙のデスクトップ上の位置を座標（１０，２０）として示している。また、この第二の例では、電子付箋紙のサイズを、その幅（５０）と高さ（２０）とにより示しており、更に、背景色を（Ｒ，Ｇ，Ｂ）＝（２５５，２５５，０）としてＲＧＢ各色の各値で示している。
【００３７】
なお、以下では、図５Ａに示した第一の例のメモ情報をメモ情報作成部１が作成するものとして説明を進める。
以上のようにして作成されたメモ情報は、メモ情報作成部１からコンテキスト関連付け部２へ送られる。コンテキスト関連付け部２は、メモ情報を受け取ると、次に、Ｓ１０２のコンテキスト情報取得処理を行う。この処理は、コンテキスト関連付け部２がコンテキスト抽出部３に所定の指示を与えて、この処理時点でコンテキスト抽出部３が抽出していたコンテキスト情報を送付させて取得する処理である。
【００３８】
コンテキスト抽出部３はユーザが使用しているコンピュータのコンテキストを監視するものである。本実施形態においては、コンテキスト抽出部３として機能するＭＰＵ１０１が、表示装置１０６で表示中のデスクトップ上で開かれているウィンドウ画面の状態（コンテキスト）を常時監視し、そのコンテキストを示すコンテキスト情報を抽出結果として出力する。ここで、ウィンドウ画面とは、コンピュータによって開かれているファイルやＷｅｂページの内容が表示される画面である。
【００３９】
コンテキスト抽出部３が出力するコンテキスト情報のデータ例を図６に示す。この図６の例では、「タイプ」の項目が「Ｗｉｎｄｏｗ構成」とされており、監視対象とするコンピュータのコンテキストがウィンドウ画面であることが示されている。また、この例では、「値」の項目として「ｗ−１」、「ｗ−２」、及び「ｗ−３」からなるリストがコンテキスト情報に格納されている。これは、この時点で「ｗ−１」、「ｗ−２」、及び「ｗ−３」なる３つのウィンドウ画面がデスクトップ上で開かれていることを示している。なお、このリストの値としては、例えばウィンドウ画面に付されているタイトルを示す情報でよい。また、例えばそのファイルのハードディスク装置１０４での格納位置を特定するファイルパスの情報でもよく、あるいは、Ｗｅｂページが置かれている通信ネットワーク上での位置を特定するＵＲＬ（Uniform Resource Locator）の情報でもよい。
【００４０】
コンテキスト関連付け部２として機能するＭＰＵ１０１は、以上のようにしてコンテキスト抽出部３が抽出して出力するコンテキスト情報を取得する処理を行う。
次に、図３のＳ１０３では、コンテキスト関連付け処理がコンテキスト関連付け部２により行われる。この処理では、コンテキスト関連付け部２として機能するＭＰＵ１０１が、Ｓ１０１の処理によりメモ情報作成部１から受け取ったメモ情報とＳ１０２の処理によりコンテキスト抽出部３から取得したコンテキスト情報との関連付けを行う。そして、関連付けられたコンテキスト情報をメモ情報に付加してコンテキスト付メモ情報を生成し、関連付けの結果として出力する。図５Ａに示したメモ情報に、図６に例示したコンテキスト情報がコンテキスト関連付け部２により関連付けられて付加されたコンテキスト付メモ情報のデータ例を図７に示す。
【００４１】
以上のようにして作成されたコンテキスト付メモ情報は、コンテキスト関連付け部２から情報保存部４へ送られる。情報保存部４は、コンテキスト付メモ情報を受け取ると、次に、Ｓ１０４のメモ情報保存処理を行う。このとき、ＭＰＵ１０１は、このとき、受け取ったコンテキスト付メモ情報を、情報保存部４として機能するハードディスク装置１０４に格納して保存する処理を行う。
【００４２】
情報保存部４でのコンテキスト付メモ情報の保存例を図８に示す。この例では、「メモ−１」、「メモ−２」、及び「メモ−３」の３つのコンテキスト付メモ情報が情報保存部４で保存されていることを表現している。
【００４３】
以上のＳ１０４までの処理が完了すると、図３の登録動作処理が終了する。
次に、図４の表示動作処理について説明する。この表示動作処理は、情報表示装置を起動させる（例えば図２のコンピュータへ電力の供給を開始したときにＭＰＵ１０１が行う所定の初期化処理を完了する）と開始され、以降、図４のＳ２０１からＳ２０４の処理が繰り返し実行される。
【００４４】
図４において、まず、Ｓ２０１では、現コンテキスト情報取得処理がコンテキスト類似度評価部６により行われる。この処理は、コンテキスト類似度評価部６として機能するＭＰＵ１０１がコンテキスト抽出部３に所定の指示を与えて、この処理時点でコンテキスト抽出部３が前述のようにして抽出していたコンテキスト情報を送付させて取得する処理である。以下、この処理により取得されるコンテキスト情報を、「現コンテキスト情報」と称することとする。
【００４５】
次に、Ｓ２０２では、コンテキスト付メモ情報取得処理がコンテキスト類似度評価部６により行われる。この処理は、コンテキスト類似度評価部６として機能するＭＰＵ１０１が、情報保存部４で保存されている全てのコンテキスト付メモ情報を読み出して取得する処理である。以下、この処理により取得されるコンテキスト情報を、「登録時コンテキスト情報」と称することとする。
【００４６】
次に、Ｓ２０３では、コンテキスト類似度評価処理がコンテキスト類似度評価部６により行われる。この処理は、現コンテキスト情報と、Ｓ２０２の処理により情報保存部４より取得したコンテキスト付メモ情報に各々含まれている各メモ情報についての登録時コンテキスト情報との類似度を評価するものである。
【００４７】
コンテキスト類似度評価部６として機能するＭＰＵ１０１は、この類似度の評価のために、以下の演算を行って、メモ情報ｉについてのコンテキスト類似度Ｓ＿ｉを算出する処理を行う。
【００４８】
まず、現コンテキスト情報が示しているＷｉｎｄｏｗ構成をＷ＝｛ｗ＿１，ｗ＿２，…
，ｗ＿ｍ｝とする。また、メモ情報ｉに関連付けられて情報保存部４に保存されていた登録時コンテキスト情報が示しているＷｉｎｄｏｗ構成をＷ＿ｉ＝｛ｗ＿ｉ１，ｗ＿ｉ２，…，ｗ＿iｎ｝とする。
【００４９】
ここで、Ｗ＿ｉの要素数をＮ＿ｉとし、ＷとＷ＿ｉの積集合｛ｗ｜ｗはＷ及びＷ＿ｉ両方の要素｝の要素数をＮｉ＿ｉとする。このとき、ＭＰＵ１０１は、メモ情報ｉについてのコンテキスト類似度Ｓ＿ｉを、下記の［数２］式の演算により算出する。
【数２】
2010079534.tif 000003
【００５０】
例えば、現コンテキスト情報が示しているＷｉｎｄｏｗ構成がＷ＝｛ｗ−１，ｗ−２，ｗ−３，ｗ−４，ｗ−５｝であり、情報保存部４でのコンテキスト付メモ情報の保存内容が、図８の例に示されているものであった場合を想定する。
【００５１】
この場合、メモ情報１（「メモ−１」）について、図８の例ではＷ＿１＝｛ｗ−１，ｗ−２，ｗ−３｝であるのでＮ＿１＝３である。また、Ｗ＝｛ｗ−１，ｗ−２，ｗ−３，ｗ−４，ｗ−５｝であり、Ｗ＿１の要素は全てＷの要素であるから、Ｎｉ＿１＝３である。よって、メモ情報１のコンテキスト類似度Ｓ＿１＝Ｎｉ＿１／Ｎ＿１＝３／３＝１．０となる。
【００５２】
また、メモ情報２（「メモ−２」）については、図８の例ではＷ＿２＝｛ｗ−２，ｗ−３，ｗ−６，ｗ−７｝であるのでＮ＿２＝４である。また、Ｗ＝｛ｗ−１，ｗ−２，ｗ−３，ｗ−４，ｗ−５｝であるから、ＷとＷ＿ｉの積集合は｛ｗ−２，ｗ−３｝であり、従ってＮｉ＿２＝２である。よって、メモ情報２のコンテキスト類似度Ｓ＿２＝Ｎｉ＿２／Ｎ＿２＝２／４＝０．５である。
【００５３】
また、メモ情報３（「メモ−３」）については、図８の例ではＷ＿３＝｛ｗ−８，ｗ−９｝であるのでＮ＿３＝２である。ところが、Ｗ＝｛ｗ−１，ｗ−２，ｗ−３，ｗ−４，ｗ−５｝であるから、ＷとＷ＿ｉの積集合は空集合となり、従ってＮｉ＿３＝０である。よって、メモ情報３のコンテキスト類似度Ｓ＿３＝Ｎｉ＿３／Ｎ＿３＝０／２＝０である。
【００５４】
このように、上記の例では、各メモ情報についてのコンテキスト類似度は、メモ情報１が最も高く、メモ情報３が最も低い。つまり、メモ情報の登録時にデスクトップ上で開かれていたウィンドウ画面群のうち、現時点のデスクトップ上でも開かれているものの数が多いメモ情報ほど、そのコンテキスト類似度が高い値となり、当該登録時と現時点でのコンテキストが類似していると考える。
【００５５】
コンテキスト類似度評価部６として機能するＭＰＵ１０１は、以上のようにして、情報保存部４より取得した各コンテキスト付メモ情報に含まれているメモ情報についてのコンテキスト類似度の算出を、全てのメモ情報について行う。算出された各コンテキスト類似度は、対応付けられている各メモ情報と共に、コンテキスト類似度評価部６からメモ情報表示部５へ送られる。
【００５６】
メモ情報表示部５は、各メモ情報と各コンテキスト類似度とを受け取ると、Ｓ２０４においてメモ情報表示処理を行う。この処理は、各メモ情報を、当該メモ情報自身で示されている表示態様に加えて、対応付けられているコンテキスト類似度に応じた表示態様で表示する処理である。
【００５７】
図９は、コンテキスト類似度に応じたメモ情報の表示態様の第一の例を示している。この例は、メモ情報が示されている電子付箋紙を、コンテキスト類似度に応じた透過度で表示させる場合を示している。
【００５８】
前述した例において、図８に示されていた各メモ情報のコンテキスト類似度は、メモ情報１については１．０、メモ情報２については０．５、メモ情報３については０であった。そこで、この図９の表示例は、コンテキスト類似度が低いメモ情報についての電子付箋紙ほど透明度を高く表示するようにしている。すなわち、メモ情報１についての電子付箋紙は、透明度を０％（不透明）とし、高い視認性で「メモ−１」の表示を行っている。また、メモ情報２についての電子付箋紙は、透明度を５０％（半透明）とし、「メモ−１」よりも低い視認性で「メモ−２」の表示を行っている。更に、メモ情報３についての電子付箋紙は、透明度を１００％としているために、完全に透明とし、結果として図９にはその表示が示されていない。
【００５９】
このようにすることで、コンテキスト類似度が高く、デスクトップ上でのウィンドウ画面の現時点での表示が登録時と似ており、現時点での必要性が高いと考えられるメモ情報の電子付箋紙ほど、高い視認性で表示される。従って、多数の電子付箋紙から必要な情報を容易に見つけ出せるようになる。
【００６０】
以上のＳ２０４の処理が完了すると、Ｓ２０１に処理を戻し、以降、図４のＳ２０１からＳ２０４の処理が繰り返し実行される。
以上までの処理が表示動作処理である。この処理が図１の情報表示装置において行われることにより、情報保存部４に保存されているメモ情報が、当該メモ情報についての登録時と現時点とおいてのコンテキスト情報の類似度に応じた態様で表示される。
【００６１】
なお、以上までに説明した図１の情報表示装置の構成の変更や動作の変更を行っても本発明を実施することができる。以下、この変更例について幾つか説明する。
まず、コンテキスト類似度評価部６によるコンテキスト類似度の算出（図４のＳ２０３）を、前述したようにして行う代わりに、以下のようにして行うようにしてもよい。
【００６２】
まず、現コンテキスト情報が示しているＷｉｎｄｏｗ構成をＷ＝｛ｗ＿１，ｗ＿２，…，ｗ＿ｍ｝とする。また、メモ情報ｉに関連付けられて情報保存部４に保存されていた登録時コンテキスト情報が示しているＷｉｎｄｏｗ構成をＷ＿ｉ＝｛ｗ＿ｉ１，ｗ＿ｉ２，…，ｗ＿iｎ｝とする。
【００６３】
ここで、ＷとＷ＿ｉの和集合｛ｗ｜ｗはＷ及びＷ＿ｉの少なくともいずれかの要素｝の要素数をＮｕ＿ｉとし、ＷとＷ＿ｉの積集合｛ｗ｜ｗはＷ及びＷ＿ｉ両方の要素｝の要素数をＮｉ＿ｉとする。このとき、コンテキスト類似度評価部６として機能するＭＰＵ１０１は、メモ情報ｉについてのコンテキスト類似度Ｓ＿ｉを、下記の［数３］式の演算により算出する。
【数３】
2010079534.tif 000004
【００６４】
例えば、現コンテキスト情報が示しているＷｉｎｄｏｗ構成がＷ＝｛ｗ−１，ｗ−２，ｗ−３，ｗ−４，ｗ−５｝であり、情報保存部４でのコンテキスト付メモ情報の保存内容が、図８の例に示されているものであった場合を想定する。この場合、メモ情報１のコンテキスト類似度Ｓ＿１＝Ｎｉ＿１／Ｎｕ＿１＝３／５＝０．６０となる。また、メモ情報
２のコンテキスト類似度Ｓ＿２＝Ｎｉ＿２／Ｎｕ＿２＝２／７≒０．２９となる。更に、メモ情報３のコンテキスト類似度Ｓ＿３＝Ｎｉ＿３／Ｎｕ＿３＝０／７＝０となる。
【００６５】
コンテキスト類似度の算出をこのようにして行っても、登録時におけるデスクトップ上でのウィンドウ画面の構成が、現時点における構成に近いメモ情報ほどコンテキスト類似度が高くなる。また、このようにすることで、登録時におけるデスクトップ上で開かれていたウィンドウ画面の数が現時点よりも顕著に少ないメモ情報についてはコンテキスト類似度が低くなる。また、現時点においてデスクトップ上で開かれているウィンドウ画面の数がメモ情報の登録時よりも顕著に多い場合にも、そのメモ情報についてはコンテキスト類似度が低くなる。
【００６６】
すると、図４のＳ２０４の処理により、コンテキスト類似度が高く、現時点での必要性が高いと考えられるメモ情報の電子付箋紙ほど、高い視認性で表示される。また、コンテキスト類似度が低く、現時点での必要性が低いと考えられるメモ情報の電子付箋紙ほど、低い視認性で表示される。この結果、多数の電子付箋紙から必要な情報を容易に見つけ出せるようになる。
【００６７】
また、コンテキスト抽出部３がメモ情報の登録時のデスクトップ上のウィンドウ画面のコンテキストを示す登録時コンテキスト情報を出力する際（図３のＳ１０２）に、メモ情報との関連性の重要度に応じて各ウィンドウ画面に重み付けを付すようにしてもよい。
【００６８】
ウィンドウ画面に対し重み付けが与えられているコンテキスト情報のデータ例を図１０に示す。この例では、監視対象とするコンピュータのコンテキストがウィンドウ画面であることと、「ｗ−１」、「ｗ−２」、及び「ｗ−３」なる３つのウィンドウ画面がデスクトップ上で開かれていることとが示されていることは、図６の例と同様である。図１０の例では、これに加え、「ｗ−１」には重み「１０」が付されており、「ｗ−２」には「ｗ−１」よりも軽い重み「５」が付されており、「ｗ−３」には「ｗ−２」よりも軽い重み「１」が付されていることを示している。
【００６９】
この重みの値は、例えば、ウィンドウ画面の注目度の高さに応じて付すようにしてもよい。
メモ情報の登録時にアクティブであるウィンドウ画面やデスクトップ上で適切に表示されている（小さなアイコン状態の表示ではない）ウィンドウ画面は、ユーザが関心を持って注目しており、ユーザのその時点での作業に特有のウィンドウ画面である可能性が高い。従って、現時点でのデスクトップ上に当該ウィンドウ画面が表示されている場合には、この特有の作業をユーザが行っている可能性が高いと考えられる。従って、この例では、例えば、ウィンドウ画面がアクティブ状態で開かれている場合は「１０」、非アクティブ状態で開かれている場合は「５」、非アクティブ状態で開かれており且つアイコン状態で表示されている場合は「１」などとする。
【００７０】
なお、図３のＳ１０３においてコンテキスト関連付け部２により行われるコンテキスト関連付け処理では、この図１０に例示したコンテキスト情報をメモ情報に付加してコンテキスト付メモ情報を作成する処理を行う。
【００７１】
以上のようにしてコンテキスト抽出部３がウィンドウ画面に重み付けを付したコンテキスト情報を出力する場合には、コンテキスト類似度評価部６は、メモ情報ｉについてのコンテキスト類似度Ｓ＿ｉを、下記の［数４］式の演算により算出する。
【数４】
2010079534.tif 000005
【００７２】
上記の式において、ｆ（ｗ，Ｗ）は、登録時コンテキスト情報に示されているウィンドウ画面ｗについての重み付け値を返す関数である。但し、ウィンドウ画面ｗが現コンテキスト情報Ｗに含まれていない場合には、この関数は値「０」を返すものとする。また、Ｎ＿ｉは、メモ情報ｉに関連付けられて情報保存部４に保存されていた登録時コンテキスト情報が示しているＷｉｎｄｏｗ構成Ｗ＿ｉ＝｛ｗ＿ｉ１，ｗ＿ｉ２，…，ｗ＿iｎ｝の要素数である。コンテキスト類似度評価部６として機能するＭＰＵ１０１は、図４のＳ２０３において、以上の演算を行ってメモ情報ｉについてのコンテキスト類似度Ｓ＿ｉを算出する。
【００７３】
なお、コンテキスト類似度評価部６は、コンテキスト抽出部３がウィンドウ画面に重み付けを付したコンテキスト情報を出力する場合に、メモ情報ｉについてのコンテキスト類似度Ｓ＿ｉを、下記の［数５］式の演算により算出するようにしてもよい。
【数５】
2010079534.tif 000006
【００７４】
上記の式において、ｆ（ｗ，Ｗ）は、前述したものと同一の関数である。また、Ｎｕ＿ｉは、現コンテキスト情報が示しているＷｉｎｄｏｗ構成Ｗ＝｛ｗ＿１，ｗ＿２，…，ｗ＿ｍ｝と登録時コンテキスト情報が示しているＷｉｎｄｏｗ構成Ｗ＿ｉ＝｛ｗ＿ｉ１，ｗ＿ｉ２，…，ｗ＿iｎ｝との和集合の要素数である。コンテキスト類似度評価部６として機能するＭＰＵ１０１は、図４のＳ２０３において、以上の演算を行ってメモ情報ｉについてのコンテキスト類似度Ｓ＿ｉを算出する。
【００７５】
このようにして、注目度の高さを示していると考えることのできる、ウィンドウ画面のアクティブ状態や表示サイズなどに対応した重み付けを付すことにより、ユーザが必要とするメモ情報をより正確に判別することが可能になる。従って、図４のＳ２０４の処理により、このようなメモ情報を表示する電子付箋紙を、高い視認性で表示することができる。
【００７６】
また、メモ情報表示部５は、メモ情報の表示（図４のＳ２０４）の際に、前述した何れかの手法に従ってコンテキスト類似度評価部６が求めたコンテキスト類似度Ｓ＿ｉを、下記の［数６］式に従って正規化してもよい。
【数６】
2010079534.tif 000007
【００７７】
ここで、ｍａｘ（Ｓ＿１，…，Ｓ＿ｎ）はメモ情報ｉについてのコンテキスト類似度Ｓ＿ｉ（ｉ＝１，…，ｎ）のうち最大であるものの値を返す関数である。メモ情報表示部５は、このようにして正規化したコンテキスト類似度Ｓ’＿ｉに応じた表示態様でメモ情報を表示するようにしてもよい。
【００７８】
このようにすることで、コンテキスト類似度が取り得る範囲が不定の場合でも、正規化によってその範囲を０から１までに変換できるので、コンテキスト類似度に応じた表示態様でのメモ情報を表示させるときに、表示の適切さを維持することが容易になる。
【００７９】
また、情報保存部４が、ウィンドウ画面毎に、情報保存部４で保存されている全ての登録時コンテキスト付メモ情報のうちで、そのウィンドウ画面がコンテキスト情報に含まれている登録時コンテキスト付メモ情報の数を計数するようにしてもよい。以下、この計数結果の数を、そのウィンドウ画面についての「リンク数」と称することとする。
【００８０】
ＭＰＵ１０１は、コンテキスト付メモ情報の保存（図３のＳ１０４）の際に、ウィンドウ画面毎のリンク数の計数を行うようにする。このようにして得られたウィンドウ画面毎のリンク数が示されているリンク数情報のデータ例を図１１に示す。
【００８１】
この図１１の例では、ウィンドウ画面「ｗ−１」は唯１つの登録時コンテキスト付メモ情報のコンテキスト情報にのみ含まれていることが示されている。また、ウィンドウ画面「ｗ−２」は５つの登録時コンテキスト付メモ情報のコンテキスト情報に含まれていることが示されている。更に、ウィンドウ画面「ｗ−３」は実に１００個もの登録時コンテキスト付メモ情報のコンテキスト情報に含まれていることが示されている。
【００８２】
情報保存部４は、このリンク数情報を保存しておく。コンテキスト類似度評価部６は、情報保存部４がリンク数情報を保存している場合には、登録時コンテキスト付メモ情報を読み出して取得する際（図４のＳ２０２）に、リンク数情報も併せて読み出して取得する。このとき、コンテキスト類似度評価部６は、メモ情報ｉについてのコンテキスト類似度Ｓ＿ｉを、前掲した［数４］式若しくは［数５］式の演算により取得する際に、関数ｆ（ｗ，Ｗ）を、下記の［数７］式の定義に従うものとする。
【数７】
2010079534.tif 000008
【００８３】
ここで、ｍは、登録時コンテキスト情報に示されているウィンドウ画面ｗについての重み付け値であり、ｌは、ウィンドウ画面ｗについてのリンク数である。すなわち、関数ｆ（ｗ，Ｗ）は、登録時コンテキスト情報に示されているウィンドウ画面ｗについての重み付け値を、そのウィンドウ画面ｗについてのリンク数ｌで除算した値を返す関数である。但し、ウィンドウ画面ｗが現コンテキスト情報Ｗに含まれていない場合には、この関数は値「０」を返すものとなる。
【００８４】
このようにして、リンク数が大きいウィンドウ画面ほど重みを小さくすることで、ユーザが必要とするメモ情報の判別精度が向上する。なぜなら、多くのメモ情報の登録時に常に存在していたようなウィンドウ画面は、各メモ情報の登録時におけるデスクトップの状態にとって特徴的ではないからである。このようなウィンドウ画面はリンク数が大きくなることは明らかである。従って、関数ｆ（ｗ，Ｗ）の定義を上述したものとすることによって、このような重要とはいえないウィンドウ画面がコンテキスト類似度に及ぼす影響を減じることができる。
【００８５】
また、コンテキスト抽出部３が、ウィンドウ画面の状態（コンテキスト）を示すコンテキスト情報を、メモ情報の登録時から現時点まで所定の時間間隔で取得し、取得した一連の情報を、履歴情報として、コンテキスト類似度評価部６に出力するようにしてもよい。
【００８６】
図１２は、このようにしてコンテキスト抽出部３が取得したコンテキスト履歴情報のデータ例を示している。この例では、現コンテキスト情報である、現時点ｔにおけるウィンドウ画面構成として、「ｗ−１」、「ｗ−２」、及び「ｗ−３」なる３つのウィンドウ画面がデスクトップ上で開かれていることを示している。また、この例では、現時点ｔよりも所定時間前の時点ｔ−１におけるウィンドウ画面構成の履歴として、「ｗ−１」、「ｗ−４」、「ｗ−５」、及び「ｗ−６」なる４つのウィンドウ画面がデスクトップ上で開かれていたことを示している。更に、この例では、現時点ｔよりも所定時間のｎ倍前の時点ｔ−ｎにおけるウィンドウ画面構成の履歴として、「ｗ−６」及び「ｗ−４」なる２つのウィンドウ画面がデスクトップ上で開かれていたことを示している。
【００８７】
コンテキスト類似度評価部６は、現コンテキスト情報の取得の際（図４のＳ２０１）に、図１２に例示したようなコンテキスト履歴情報をコンテキスト抽出部３から取得する処理を行う。このとき、コンテキスト類似度評価部６は、コンテキスト類似度の算出（図４のＳ２０３）を、下記の［数８］式に従って行う。
【数８】
2010079534.tif 000009
【００８８】
上記の式において、Ｓｔ＿ｉは、各時点ｔにおけるＷｉｎｄｏｗ構成でのコンテキスト類似度であり、前掲した［数２］式から［数７］式のうちのいずれか１つを用いて算出する。また、Ａ（ｔ）は、各時点の日時ｔに基づいて設定される重み付け値を返す関数である。例えば日時が過去である（すなわちｔの値が小さい）Ｗｉｎｄｏｗ構成についてのコンテキスト類似度ほど、そのコンテキスト類似度に乗算される重みＡ（ｔ）は小さい値に設定される。つまり、Ａ（ｔ）は、ｔの増加に対して単調に増加する関数である。
【００８９】
このようにしてウィンドウ画面の構成履歴に基づいたコンテキスト類似度を求めるようにすると、ユーザの作業手順などが反映されたコンテキスト類似度が得られるので、ユーザが必要とするメモ情報をより正確に判別することが可能になる。従って、図４のＳ２０４の処理により、このようなメモ情報を表示する電子付箋紙を、高い視認性で表示することができる。
【００９０】
また、コンテキスト抽出部３が、登録時コンテキスト情報を出力する際（図３のＳ１０２）に、ユーザが使用しているコンピュータの状態を示す他のコンテキストも登録時コンテキスト情報として併せて出力するようにしてもよい。
【００９１】
図１３は、コンテキスト抽出部３から出力される、コンピュータの様々な状態を示すコンテキストを含む登録時コンテキスト情報のデータ例を示している。
この図１３の例では、まず、「タイプ」の項目が「Ｗｉｎｄｏｗ構成」とされていて「値」の項目として「ｗ−１」、「ｗ−２」、及び「ｗ−３」からなるリストがコンテキスト情報に格納されている。これは、図６に示した例と同様、「ｗ−１」、「ｗ−２」、及び「ｗ−３」なる３つのウィンドウ画面がデスクトップ上で開かれていることを示している。
【００９２】
更に、この図１３の例では、「タイプ」の項目が、「曜日」、「時間帯」、「天気」、「気温」、及び「場所」とされている。そして、これらに対応付けられている「値」の項目として、「月」、「１０：００−１２：００」、「晴れ」、「２３℃」、及び「本社３Ｆ」の各値が格納されている。これらの値は、それぞれ、メモ情報の登録が「月」曜日に行われ、その登録が「１０：００−１２：００」の時間内に行われ、その登録時の天気は
「晴れ」であって気温が「２３℃」であり、登録を行ったユーザはこの登録時に「本社３Ｆ」に居たことを示している。
【００９３】
ここで、メモ情報の登録時の日付や七曜、時刻は、例えば、図１の情報表示装置であるコンピュータが備えている時計機能及びカレンダー機能から取得する。また、気象情報は、例えば、このコンピュータが予め設定されている気象サービスへ通信ネットワークを介してアクセスして取得する。また、ユーザの位置は、例えばＧＰＳ（全地球測位システム）を利用して取得する、若しくは、このコンピュータを通信ネットワークに接続するために利用したアクセスポイントの設置場所の情報に基づき取得する。
【００９４】
以上のような登録時コンテキスト情報をコンテキスト抽出部３が出力する場合には、コンテキスト類似度評価部６は、この登録時コンテキスト情報を図４のＳ２０２の処理において取得する。また、このときには、コンテキスト抽出部３は、現コンテキスト情報を出力する際（図４のＳ２０１）に、この登録時コンテキスト情報が有しているものと同一のコンテキストを、現コンテキスト情報として併せて出力するようにする。そして、コンテキスト類似度評価部６は、現コンテキスト情報を取得する際（図４のＳ２０１）に、このコンテキストを併せて取得する。そして、メモ情報ｉについてのコンテキスト類似度Ｓ＿ｉの算出の際（図４のＳ２０３）には、下記の［数９］式に従ってコンテキスト類似度Ｓ＿ｉの算出を行う。
【数９】
2010079534.tif 000010
【００９５】
上記の式において、ｆｊ（ｃ，Ｃ）は、メモ情報ｉについての、登録時コンテキスト情報におけるコンテキスト項目ｊについての値ｃと、現コンテキスト情報における対応するコンテキスト項目ｊについての値Ｃとより、コンテキスト類似度を求める関数である。なお、コンテキスト項目とは、図１３の例における「タイプ」の欄に示されている項目である。
【００９６】
なお、コンテキスト項目「Ｗｉｎｄｏｗ構成」については、コンテキスト類似度の算出を前述したいずれかの手法を用いて行う。また、この他のコンテキスト項目については、例えば、登録時コンテキスト情報における値と、現コンテキスト情報における値との組み合わせに、コンテキスト類似度を予め対応付けたテーブルを用意しておき、このテーブルを参照してコンテキスト類似度を求める。なお、このテーブルの対応関係を定義した関数を定義し、この関数の演算を実行することでコンテキスト類似度を求めるようにしてもよい。
【００９７】
このようにしてデスクトップ上におけるウィンドウ画面の構成以外の情報もコンテキスト情報に含ませることで、情報表示装置であるコンピュータの状態をより詳細に反映したコンテキスト類似度が得られる。この結果、ユーザが必要とするメモ情報をより正確に判別することが可能になるので、図４のＳ２０４の処理により、このようなメモ情報を表示する電子付箋紙を、高い視認性で表示することができる。
【００９８】
また、コンテキスト関連付け部２が、メモ情報とコンテキスト情報との関連付けを行う際（図３のＳ１０３）において、ユーザにより選択される、メモ情報と対応付けるコンピュータの状態（コンテキスト）の選択を取得するようにしてもよい。すなわち、例えば、入力装置１０５であるマウス装置を操作して行う、メモ情報との関連付けを所望するウィンドウ画面の選択結果の指示を、コンテキスト関連付け部２として機能するＭＰＵ１０１が取得する処理を行う。そして、取得した選択結果に係るウィンドウ画面のみを、メモ情報作成部１から受け取ったメモ情報と関連付けたコンテキスト付メモ情報を作成して出力するようにする。
【００９９】
ユーザにとってメモ情報が必要となるコンテキストが明白な場合に、このようにしてユーザにメモ情報とコンテキストとの関連付けの指定を行わせることで、ユーザが必要とするメモ情報をより正確に判別することが可能になる。従って、図４のＳ２０４の処理により、このようなメモ情報を表示する電子付箋紙を、高い視認性で表示することができる。
【０１００】
また、メモ情報表示部５が、各メモ情報を、コンテキスト類似度に応じた表示態様で電子付箋紙として表示する際（図４のＳ２０４）に、コンテキスト類似度に応じたサイズで電子付箋紙を表示するようにしてもよい。すなわち、例えば、前述した［数６］式に従って正規化を行った後のコンテキスト類似度を、登録時に設定されている表示サイズに乗算したサイズで電子付箋紙を表示するようにする。
【０１０１】
コンテキスト類似度に応じたメモ情報の表示態様の第二の例を図１４に示す。この例では、「メモ−２」は、コンテキスト類似度Ｓ＿２＝１であったことにより、登録時の設定サイズで表示されている。これに対し、「メモ−１」は、コンテキスト類似度Ｓ＿１＝０．７５であったことにより、登録時の設定サイズよりも若干小さめ（０．７５倍）に表示されている。更に、「メモ−３」は、コンテキスト類似度Ｓ＿３＝０．２であったことにより、登録時の設定サイズよりもかなり縮小されて（０．２倍）表示されている。なお、図１４において、破線は、「メモ−１」及び「メモ−３」が縮小されて表示されていることを表現するために描かれているものであり、実際の表示画面では表示しない。
【０１０２】
このようにして、コンテキスト類似度に応じた大きさで電子付箋紙を表示することで、ユーザが必要とするメモ情報についての電子付箋紙を、高い視認性で表示することができる。
【０１０３】
なお、図１のメモ情報表示部５は、コンテキスト類似度が所定の閾値未満であるメモ情報を全て非表示とし、コンテキスト類似度が所定の閾値以上であるメモ情報のみを表示するようにしてもよい。
【０１０４】
次に図１５について説明する。図１５は、本発明を実施する情報表示装置の構成の第二の例を示している。この第二の例は、図１に示した第一の例の構成に、メモ情報選択部７とコンテキスト復元部８とを追加して構成されている。
【０１０５】
メモ情報選択部７は、メモ情報表示部５により表示されているメモ情報のひとつを選択するユーザからの指示を取得する。
コンテキスト復元部８は、メモ情報選択部７が取得した選択結果に係るメモ情報に関連付けられているコンテキスト情報が示している状態（コンテキスト）を情報表示装置に復元する。
【０１０６】
なお、図１５に示した情報表示装置も、図２に例示したような標準的なハードウェア構成のコンピュータを用いて構成することができる。このようにするには、まず、情報処理装置の前述した各構成要素が、後述のコンテキスト復元処理において行う各処理の処理内容を、後述の手順でＭＰＵ１０１に行わせるための制御プログラムを作成する。作成された制御プログラムはハードディスク装置１０４若しくは可搬型記録媒体１１０に予め格納しておく。そして、ＭＰＵ１０１に所定の指示を与えてこの制御プログラムを読み出させて実行させる。こうすることで、図２のコンピュータが情報表示装置として機能する。
【０１０７】
図１５に示した情報処理装置も、図３及び図４にそれぞれ示した登録動作処理及び表示
動作処理を行うことにより、図１に示したものと同様のメモ情報の登録動作及び表示動作を行うことができ、前述した各種の変更例についても実施することができる。
【０１０８】
次に図１６に示したフローチャートについて説明する。図１６は、図１５に示した情報表示装置において行われるコンテキスト復元処理の処理内容を示したものである。
このコンテキスト復元処理は、情報表示装置を起動させる（例えば図２のコンピュータへ電力の供給を開始したときにＭＰＵ１０１が行う所定の初期化処理を完了する）と開始される。
【０１０９】
まず、Ｓ３０１において、メモ情報選択処理がメモ情報選択部７により行われる。この処理により、メモ情報選択部７として機能するＭＰＵ１０１は、例えば入力装置１０５であるマウス装置をユーザが操作して行う、メモ情報の選択結果の指示を取得する。
【０１１０】
メモ情報の選択操作について、図１７Ａを参照しながら説明する。表示装置１０６の表示画面には、メモ情報が示されている電子付箋紙がメモ情報表示部５により表示されている。ここで、ユーザは、例えばマウス装置を操作して、表示画面に表示されているカーソル（図中の矢印）を移動させて、選択するメモ情報が示されている電子付箋紙をカーソルが指すようにする。ここで、ユーザが所定の操作（例えばマウス装置に対するクリック操作）を行うと、ＭＰＵ１０１は、このときにカーソルが指していた電子付箋紙に示されているメモ情報を、メモ情報の選択結果の指示として取得する。
【０１１１】
以上のようにして取得されたメモ情報の選択指示は、メモ情報選択部７からコンテキスト復元部８へ送られる。コンテキスト関連付け部２は、メモ情報の選択指示を受け取ると、次に、Ｓ３０２のコンテキスト情報取得処理を行う。この処理は、コンテキスト復元部８として機能するＭＰＵ１０１が、情報保存部４で保存されているコンテキスト付メモ情報から、当該選択指示に係るメモ情報に関連付けられている登録時コンテキスト情報を取得する処理である。
【０１１２】
次に、Ｓ３０３では、コンテキスト表示処理がコンテキスト復元部８により行われる。この処理は、コンテキスト復元部８として機能するＭＰＵ１０１が、取得した登録時コンテキスト情報の内容を、表示装置１０６に表示させる。
【０１１３】
登録時コンテキスト情報の内容の表示手法としては、例えば、登録時コンテキスト情報に示されている各ウィンドウ画面のタイトルをリスト表示する。また、登録時コンテキスト情報に示されているウィンドウ画面に表示されるファイルのハードディスク装置１０４での格納位置を特定するファイルパスの情報でもよい。更に、当該ウィンドウ画面に表示されるＷｅｂページが置かれている通信ネットワーク上での位置を特定するＵＲＬの情報でもよい。
【０１１４】
また、コンテキスト抽出部３が登録時コンテキスト情報を抽出する際（図３のＳ１０２）に、ウィンドウ画面構成情報として、その時点で開かれていた各ウィンドウ画面の位置や範囲、表示されていた画像イメージ、開いていたリソース等を保存してもよい。このようにする場合の登録時コンテキスト情報のデータ例を図１８に示す。この場合には、このＳ３０３のコンテキスト表示処理において、コンテキスト復元部８が、このウィンドウ画面構成情報に従い、メモ情報の登録時における各ウィンドウ画面イメージを描画してコンテキストを復元する処理を行う。図１７Ｂは、このようにしてメモ情報の登録時におけるコンテキストを復元した画面例を示している。
【０１１５】
図１７Ｂにおいて、「ｗ−１」、「ｗ−２」、及び「ｗ−３」は、メモ情報の登録時に表示されていた画像イメージを表現している。ここで、「ｗ−１」、「ｗ−２」、及び「
ｗ−３」の各画像イメージは、それぞれ「Ｗ１．ｂｍｐ」、「Ｗ２．ｂｍｐ」、及び「Ｗ３．ｂｍｐ」なるファイル名の画像ファイルとして、ハードディスク装置１０４の所定の記憶領域に保存されている。また、図１８の登録時コンテキスト情報には、これらの各ウィンドウ画面と各画像ファイルとの対応関係が示されている。
【０１１６】
次に、図１６のＳ３０４では、コンテキスト選択処理がコンテキスト復元部８により行われる。この処理により、コンテキスト復元部８として機能するＭＰＵ１０１は、例えば入力装置１０５であるマウス装置をユーザが操作して行う、コンテキストの選択結果の指示を取得する。
【０１１７】
コンテキストの選択操作について、図１７Ｃを参照しながら説明する。
表示装置１０６の表示画面には、図１７Ｂのように、メモ情報の登録時におけるコンテキストを復元した画面が表示されている。ここで、ユーザは、例えばマウス装置を操作して、表示画面に表示されているカーソルを移動させて、選択するコンテキスト（ウィンドウ画面イメージ）をカーソルが指すようにする。ここで、ユーザが所定の操作（例えばマウス装置に対するクリック操作）を行うと、ＭＰＵ１０１は、このときにカーソルが指していたウィンドウ画面イメージ（図１７Ｃにおいては「ｗ−２」）を、コンテキストの選択結果の指示として取得する。
【０１１８】
次に、Ｓ３０５では、リソースオープン処理がコンテキスト復元部８により行われる。この処理により、コンテキスト復元部８として機能するＭＰＵ１０１は、選択されたコンテキストのリソース（ファイルやＷｅｂページ、アプリケーションなど）を実際に開いてウィンドウ画面として表示する。
【０１１９】
リソースオープン処理について、図１７Ｄを参照しながら説明する。
図１７Ｃのように、ウィンドウ画面イメージ「ｗ−２」が選択されると、ＭＰＵ１０１は、図１８に例示した登録時コンテキスト情報を参照し、そこから、「ｗ−２」に関連付けられているリソース「ｐａｇｅ−２」を抽出する。そして、このｐａｇｅ−２を実際に開いて、そのウィンドウ画面を、画面イメージ「ｗ−２」が表示されていた位置に表示する。
【０１２０】
以上のＳ３０５の処理が完了すると、このコンテキスト復元処理が終了する。なお、このとき、Ｓ３０１に処理を戻して、以降、図１６のＳ３０１からＳ３０５の処理が繰り返し実行されるようにしてもよい。
【０１２１】
このように、メモ情報選択部７とコンテキスト復元部８とを更に備えて情報表示装置を構成すると、ユーザへ必要な情報を提供するのみならず、ファイルやＷｅｂページなどの必要なリソースをも提示することができる。その結果、ユーザの記憶を補助することができ、情報へのアクセスの利便性も向上する。
【０１２２】
以上、本発明の実施形態を説明したが、本発明は、上述した各実施形態に限定されることなく、本発明の要旨を逸脱しない範囲内で種々の改良・変更が可能である。
【０１２３】
なお、以上までに説明した全ての実施形態に関し、更に以下の付記を開示する。
（付記１）
各種の情報を表示する装置であって、
該装置の状態を監視して該状態を示すコンテキスト情報を抽出するコンテキスト情報抽出手段と、
表示対象であるメモ情報の登録時においての該コンテキスト情報が関連付けられている該メモ情報を保存しているメモ情報保存手段と、
所定の時点において該コンテキスト情報抽出手段により抽出された該コンテキスト情報
についての、該メモ情報保存手段により保存されているメモ情報に関連付けられているコンテキスト情報との類似度を、該メモ情報毎に求めるコンテキスト情報類似度評価手段と、
該メモ情報保存手段に保存されているメモ情報を、該メモ情報についての該類似度に応じた態様で表示するメモ情報表示手段と、
を有することを特徴とする情報表示装置。
（付記２）
入力された情報に従って該メモ情報を作成するメモ情報作成手段と、
該メモ情報作成手段が作成した該メモ情報と、該メモ情報が作成された時点において該コンテキスト情報抽出手段が抽出した該コンテキスト情報とを関連付けてコンテキスト付きメモ情報を生成するコンテキスト関連付け手段と、
を更に有し、
該メモ情報保存手段は、該コンテキスト関連付け手段が生成したコンテキスト付きメモ情報を保存する、
ことを特徴とする付記１に記載の情報表示装置。
（付記３）
該コンテキスト情報抽出手段は、該装置において表示中の画面に含まれているウィンドウ画面を特定する情報であるウィンドウ構成情報を、コンテキスト情報として抽出し、
該メモ情報保存手段は、該メモ情報の登録時においての該ウィンドウ構成情報が関連付けられている該メモ情報を保存している、
ことを特徴とする付記１又は２に記載の情報表示装置。
（付記４）
該所定の時点において該コンテキスト情報抽出手段が抽出した該ウィンドウ構成情報で示されているウィンドウ画面の集合をＷとし、該メモ情報保存手段に保存されているメモ情報のうちのひとつであるメモ情報ｉに関連付けられているウィンドウ構成情報で示されているウィンドウ画面の集合をＷ＿ｉとすると、
該コンテキスト情報類似度評価手段は、該集合Ｗの要素数Ｎ＿ｉ、及び、該集合Ｗ＿ｉと該集合Ｗとの積集合の要素数Ｎｉ＿ｉより、該メモ情報ｉについての該類似度である類似度Ｓ＿ｉを、
【数１０】
2010079534.tif 000011
により算出する、
ことを特徴とする付記３に記載の情報表示装置。
（付記５）
該所定の時点において該コンテキスト情報抽出手段が抽出した該ウィンドウ構成情報で示されているウィンドウ画面の集合をＷとし、該メモ情報保存手段に保存されているメモ情報のうちのひとつであるメモ情報ｉに関連付けられているウィンドウ構成情報で示されているウィンドウ画面の集合をＷ＿ｉとすると、
該コンテキスト情報類似度評価手段は、該集合Ｗ＿ｉと該集合Ｗとの和集合の要素数Ｎｕ＿ｉ、及び、該集合Ｗ＿ｉと該集合Ｗとの積集合の要素数Ｎｉ＿ｉより、該メモ情報ｉについての該類似度である類似度Ｓ＿ｉを、
【数１１】
2010079534.tif 000012
により算出する、
ことを特徴とする付記３に記載の情報表示装置。
（付記６）
該コンテキスト情報抽出手段は、該メモ情報の登録時に該装置において表示中の画面に含まれていたウィンドウ画面の各々について、該ウィンドウ画面の表示態様に基づく重み付け値を付し、該ウィンドウ画面毎の重み付け値を含む該ウィンドウ構成情報を、コンテキスト情報として抽出し、
該メモ情報保存手段は、該重み付け値を含む該ウィンドウ構成情報が関連付けられている該メモ情報を保存しており、
該コンテキスト情報類似度評価手段は、該重み付け値を加味して該類似度を評価する、ことを特徴とする付記３に記載の情報表示装置。
（付記７）
該所定の時点において該コンテキスト情報抽出手段が抽出した該ウィンドウ構成情報で示されているウィンドウ画面の集合をＷとし、該メモ情報保存手段に保存されているメモ情報のうちのひとつであるメモ情報ｉに関連付けられているウィンドウ構成情報で示されているウィンドウ画面の集合をＷ＿ｉとし、該集合Ｗ＿ｉの要素ｗが該集合Ｗに含まれていれば該コンテキスト情報抽出手段が該要素ｗに付した重み付け値を返す一方で該要素ｗが該集合Ｗに含まれていなければ値０を返す関数をｆ（ｗ，Ｗ）とすると、
該コンテキスト情報類似度評価手段は、該集合Ｗの要素数Ｎ＿ｉより、該メモ情報ｉについての該類似度である類似度Ｓ＿ｉを、
【数１２】
2010079534.tif 000013
により算出する、
ことを特徴とする付記６に記載の情報表示装置。
（付記８）
該所定の時点において該コンテキスト情報抽出手段が抽出した該ウィンドウ構成情報で示されているウィンドウ画面の集合をＷとし、該メモ情報保存手段に保存されているメモ情報のうちのひとつであるメモ情報ｉに関連付けられているウィンドウ構成情報で示されているウィンドウ画面の集合をＷ＿ｉとし、該集合Ｗ＿ｉの要素ｗが該集合Ｗに含まれていれば該コンテキスト情報抽出手段が該要素ｗに付した重み付け値を返す一方で該要素ｗが該集合Ｗに含まれていなければ値０を返す関数をｆ（ｗ，Ｗ）とすると、
該コンテキスト情報類似度評価手段は、該集合Ｗ＿ｉと該集合Ｗとの和集合の要素数Ｎｕ＿ｉより、該メモ情報ｉについての該類似度である類似度Ｓ＿ｉを、
【数１３】
2010079534.tif 000014
により算出する、
ことを特徴とする付記６に記載の情報表示装置。
（付記９）
ｍａｘ（）を引数のうちの最大値を返す関数とすると、
該コンテキスト情報類似度評価手段は、該メモ情報保存手段に保存されているｎ個のメモ情報ｉ（但し、ｉ＝１、２、…、ｎ）の各々について該類似度である類似度Ｓ＿ｉを求
めた後に、該類似度Ｓ＿ｉを正規化した値Ｓ’＿ｉを、
【数１４】
2010079534.tif 000015
により算出し、
該メモ情報表示手段は、該類似度Ｓ＿ｉを正規化した値Ｓ’＿ｉに応じた態様で、該メモ情報保存手段に保存されているメモ情報を表示する、
ことを特徴とする付記１に記載の情報表示装置。
（付記１０）
該メモ情報保存手段は、該メモ情報の登録時に該装置において表示中の画面に含まれていたウィンドウ画面毎に、該メモ情報保存手段により保存されている全てのメモ情報にそれぞれ関連付けられている該ウィンドウ構成情報のうちで、該ウィンドウ画面を特定する情報が含まれているもの数を、該ウィンドウ画面についてのリンク数ｌとして更に保存しており、
該コンテキスト情報類似度評価手段は、該関数ｆ（ｗ，Ｗ）が、該集合Ｗ＿ｉの要素ｗが該集合Ｗに含まれていれば該コンテキスト情報抽出手段が該要素ｗに付した重み付け値を該要素ｗについての該リンク数ｌで除算した値を返す一方で、該要素ｗが該集合Ｗに含まれていなければ値０を返す関数であるとして、該メモ情報ｉについての該類似度Ｓ＿ｉを算出する、
ことを特徴とする付記７又は８に記載の情報表示装置。
（付記１１）
該コンテキスト抽出手段は、該コンテキスト情報を、該メモ情報の登録時から該所定の時点までの所定の時間間隔で抽出し、抽出された一連の情報をコンテキスト履歴情報として出力し、
該コンテキスト情報類似度評価手段は、該メモ情報保存手段に保存されているメモ情報のうちのひとつであるメモ情報ｉについての、該登録時から該所定の時点までの所定の時間間隔毎の日時ｔにおける該類似度Ｓｔ＿ｉを、該コンテキスト履歴情報より求め、更に、該日時ｔにおける該類似度Ｓｔ＿ｉに対する重み付け値を示す関数Ａ（ｔ）を、ｔの増加に対して値が単調に増加する関数として、該メモ情報ｉについての該類似度Ｓ＿ｉを、
【数１５】
2010079534.tif 000016
により算出する、
ことを特徴とする付記１に記載の情報表示装置。
（付記１２）
該コンテキスト情報抽出手段は、各種コンテキスト情報として、該ウィンドウ構成情報と共に、該メモ情報の登録時における曜日の情報、該登録時刻についての情報、該登録時における天気の情報、該登録時における気温の情報、及び該メモ情報の登録が行われた場所の情報のうちの少なくともいずれか１以上を更に抽出し、
該メモ情報保存手段は、該コンテキスト情報抽出手段により抽出された、該メモ情報の登録時においての各種コンテキスト情報が関連付けられている該メモ情報を保存しており、
該コンテキスト情報類似度評価手段は、該メモ情報保存手段に保存されているメモ情報のうちのひとつであるメモ情報ｉについて、該各種コンテキスト情報の各項目毎の該類似度を、該メモ情報ｉの登録時における値と該所定の時点における値とに基づいて求め、更に、ｆｊ（ｃ，Ｃ）を、項目ｊのコンテキストについての該メモ情報ｉの登録時における
値ｃと該所定の時点における値Ｃとの類似度を返す関数としたときに、該メモ情報ｉについての該類似度である類似度Ｓ＿ｉを、
【数１６】
2010079534.tif 000017
により算出する、
ことを特徴とする付記３に記載の情報表示装置。
（付記１３）
該コンテキスト情報抽出手段が抽出した該コンテキスト情報に対しての選択の指示を取得するコンテキスト情報選択手段を更に有し、
該コンテキスト関連付け手段は、該メモ情報作成手段が作成した該メモ情報と、該コンテキスト情報選択手段が取得した指示により選択されている該コンテキスト情報とを関連付けてコンテキスト付きメモ情報を生成する、
ことを特徴とする付記２に記載の情報表示装置。
（付記１４）
該メモ情報表示手段は、該メモ情報保存手段に保存されているメモ情報の表示領域を、該メモ情報についての該類似度に応じた透過度で表示することを特徴とする付記１に記載の情報表示装置。
（付記１５）
該メモ情報表示手段は、該メモ情報保存手段に保存されているメモ情報の表示領域を、該メモ情報についての該類似度に応じた大きさで表示することを特徴とする付記１に記載の情報表示装置。
（付記１６）
該メモ情報表示手段は、該メモ情報保存手段に保存されているメモ情報のうち、該メモ情報についての該類似度が所定の閾値以上のもののみを、該該類似度に応じた態様で表示することを特徴とする付記１に記載の情報表示装置。
（付記１７）
該メモ情報表示手段により表示されているメモ情報に対しての選択の指示を取得するメモ情報選択手段と、
該メモ情報選択手段が取得した指示により選択されているメモ情報の登録時における該装置の状態を、該メモ情報保存手段により保存されている該メモ情報に関連付けられている該コンテキスト情報に基づいて復元するコンテキスト復元手段と、
を更に有することを特徴とする付記１に記載の情報表示装置。
（付記１８）
該コンテキスト情報抽出手段は、該装置において表示中の画面に含まれているウィンドウ画面を特定する情報であるウィンドウ構成情報を、コンテキスト情報として抽出し、
該メモ情報保存手段は、該メモ情報の登録時においての該ウィンドウ構成情報が関連付けられている該メモ情報を保存しており、
該コンテキスト復元手段は、該メモ情報選択手段が取得した指示により選択されているメモ情報の登録時に該装置において表示中の画面に含まれているウィンドウ画面を、該メモ情報保存手段により保存されている該メモ情報に関連付けられている該ウィンドウ構成情報に基づいて表示する、
ことを特徴とする付記１８に記載の情報表示装置。
（付記１９）
各種の情報を表示する方法であって、
コンテキスト情報抽出手段が、該情報を表示する表示装置を有するコンピュータの状態を監視して該状態を示すコンテキスト情報を抽出し、
メモ情報保存手段が、表示対象であるメモ情報の登録時においての該コンテキスト情報
が関連付けられている該メモ情報を記憶装置に保存させておき、
コンテキスト情報類似度評価手段が、所定の時点において該コンテキスト情報抽出手段により抽出された該コンテキスト情報についての、該記憶装置で保存されているメモ情報に関連付けられているコンテキスト情報との類似度を、該メモ情報毎に求め、
メモ情報表示手段が、該記憶装置で保存されているメモ情報を、該メモ情報についての該類似度に応じた態様で、該表示装置に表示させる、
ことを特徴とする情報表示方法。
（付記２０）
各種の情報の表示をコンピュータに行わせるためのプログラムであって、
該装置の状態を監視して該状態を示すコンテキスト情報を抽出するコンテキスト情報抽出処理と、
表示対象であるメモ情報の登録時においての該コンテキスト情報が関連付けられている該メモ情報を、該コンピュータの有する記憶部に保存しておくメモ情報保存処理と、
所定の時点において該コンテキスト情報抽出処理により抽出された該コンテキスト情報についての、該記憶部で保存されているメモ情報に関連付けられているコンテキスト情報との類似度を、該メモ情報毎に求めるコンテキスト情報類似度評価処理と、
該記憶部で保存されているメモ情報を、該メモ情報についての該類似度に応じた態様で、該コンピュータの有する表示装置に表示させるメモ情報表示処理と、
をコンピュータに行わせるためのプログラム。
【図面の簡単な説明】
【０１２４】
【図１】本発明を実施する情報表示装置の構成の第一の例を示す図である。
【図２】コンピュータの標準的なハードウェア構成例を示す図である。
【図３】登録動作処理の処理内容をフローチャートで示した図である。
【図４】表示動作処理の処理内容をフローチャートで示した図である。
【図５Ａ】メモ情報データの第一の例を示す図である。
【図５Ｂ】メモ情報データの第二の例を示す図である。
【図６】コンテキスト情報のデータ例を示す図である。
【図７】コンテキスト付メモ情報のデータ例を示す図である。
【図８】情報保存部でのコンテキスト付メモ情報の保存例を示す図である。
【図９】コンテキスト類似度に応じたメモ情報の表示態様の第一の例を示す図である。
【図１０】ウィンドウ画面に対し重み付けが与えられているコンテキスト情報のデータ例を示す図である。
【図１１】ウィンドウ画面毎のリンク数が示されているリンク数情報のデータ例を示す図である。
【図１２】コンテキスト履歴情報のデータ例を示す図である。
【図１３】コンピュータの様々な状態を示すコンテキストを含む登録時コンテキスト情報のデータ例を示す図である。
【図１４】コンテキスト類似度に応じたメモ情報の表示態様の第二の例を示す図である。
【図１５】本発明を実施する情報表示装置の構成の第二の例を示す図である。
【図１６】コンテキスト復元処理の処理内容をフローチャートで示した図である。
【図１７Ａ】メモ情報の選択操作を説明する図である。
【図１７Ｂ】メモ情報の登録時におけるコンテキストを復元した画面例を示す図である。
【図１７Ｃ】コンテキストの選択操作を説明する図である。
【図１７Ｄ】リソースオープン処理を説明する図である。
【図１８】コンテキストの復元を行うときの登録時コンテキスト情報のデータ例を示す図である。
【符号の説明】
【０１２５】
１      メモ情報作成部
２      コンテキスト関連付け部
３      コンテキスト抽出部
４      情報保存部
５      メモ情報表示部
６      コンテキスト類似度評価部
７      メモ情報選択部
８      コンテキスト復元部
１０１      ＭＰＵ
１０２      ＲＯＭ
１０３      ＲＡＭ
１０４      ハードディスク装置
１０５      入力装置
１０６      表示装置
１０７      インタフェース装置
１０８      記録媒体駆動装置
１０９      バス
１１０      可搬型記録媒体
【図１】
2010079534.tif 000019
【図２】
2010079534.tif 000020
【図３】
2010079534.tif 000021
【図４】
2010079534.tif 000022
【図５Ａ】
2010079534.tif 000023
【図５Ｂ】
2010079534.tif 000024
【図６】
2010079534.tif 000025
【図７】
2010079534.tif 000026
【図８】
2010079534.tif 000027
【図１０】
2010079534.tif 000028
【図１１】
2010079534.tif 000029
【図１２】
2010079534.tif 000030
【図１３】
2010079534.tif 000031
【図１４】
2010079534.tif 000032
【図１５】
2010079534.tif 000033
【図１６】
2010079534.tif 000034
【図１７Ａ】
2010079534.tif 000035
【図１７Ｂ】
2010079534.tif 000036
【図１７Ｃ】
2010079534.tif 000037
【図１７Ｄ】
2010079534.tif 000038
【図１８】
2010079534.tif 000039
【図９】
2010079534.tif 000040